(57)【特許請求の範囲】
【請求項１】
エリア名称情報を付して、異なるエリアに配置される一対の基準点を有するゲートを持つエリアのセットを含むレイアウトデータを格納するレイアウトデータ格納部と、
基準点特定情報とセキュリティ管理情報とエリア名称情報とを関連付けたエリア管理情報を格納するエリア管理情報格納部と、
変更したレイアウトデータを格納する変更レイアウトデータ格納部と、
変更したレイアウトのエリア名称情報と基準点特定情報とを対応付けた対応データを格納する対応データ格納部と、
変更レイアウトのエリア管理情報を格納する変更エリア管理情報格納部と、
を記憶する記憶部と、
レイアウトデータ格納部に記憶されるレイアウトデータを用いてエリアのレイアウトを変更して、変更レイアウトデータを作成して、変更レイアウトデータ格納部に格納するレイアウト変更手段と、
レイアウト変更手段が作成した変更レイアウトデータのエリア内を探索して、このエリア内のゲートの基準点を検知して、探索したエリアのエリア名称情報と検知された基準点の基準点特定情報とを対応付けた対応データを作成して対応データ格納部に格納する対応データ作成手段と、
対応データ格納部に格納された対応データから互いに対応付けられた基準点特定情報とエリア名称情報とを取り出して、取り出した基準点特定情報を用いて、エリア管理情報格納部に格納されたエリア管理情報を参照して、前記基準点特定情報に一致する基準点特定情報に関連付けられたセキュリティ管理情報を抽出して、取り出した基準点特定情報とエリア名称情報と、抽出したセキュリティ管理情報とを関連付けたエリア管理情報を作成するエリア管理情報作成手段と、
を備えることを特徴とするレイアウトセキュリティ管理装置。
【請求項２】
前記エリア管理情報作成手段は、
対応データ格納部に格納された対応データから、エリア名称情報に対応付けられた基準点特定情報を取り出して、エリア管理情報格納部に保持されるエリア管理情報を参照して、この取り出した基準点特定情報に関連付けられたエリア名称情報を取得するエリア名称取得手段と、
エリア名称取得手段が取得したエリア名称情報が一種類であれば、エリア管理情報格納部に格納されるエリア管理情報から、取得したエリア名称情報に関連付けられたセキュリティ管理情報を抽出して、これを対応データが有する変更レイアウトのエリア名称情報と基準点特定情報とに関連付けたエリア管理情報を作成する抽出型エリア管理情報作成手段と、
エリア名称取得手段が取得したエリア名称情報が二種類以上であれば、二種類以上の各エリア名称情報を適用して、エリア管理情報格納部に格納されるエリア管理情報から関連付けられたセキュリティ管理情報を抽出して提示するセキュリティ管理情報提示手段と、
セキュリティ管理情報提示手段が提示するセキュリティ管理情報の選択情報の入力を受け付けて、選択されたセキュリティ管理情報を、変更レイアウトのエリア名称情報と基準点特定情報とに関連付けたエリア管理情報を作成する選択型エリア管理情報作成手段と、
エリア名称取得手段が取得したエリア名称情報が存在しないのであれば、エリア名称取得手段で使用した対応データの基準点特定情報と対を成す他方の基準点特定情報と、エリア管理情報格納部に格納されるエリア管理情報の基準点特定情報と、を比較して両者が一致するときの対応付けられたエリア名称情報を取得する隣接エリア名称取得手段と、
隣接エリア名称取得手段が取得したエリア名称情報に対応付けられたセキュリティ管理情報を抽出して、これを変更レイアウトのエリア名称情報と基準点特定情報とに対応付けたエリア管理情報を作成する隣接型エリア管理情報作成手段と、
とから構成されることを特徴とする請求項１に記載のレイアウトセキュリティ管理装置。
【請求項３】
エリア名称情報を付して、異なるエリアに配置される一対の基準点を有するゲートを持つエリアのセットを含むレイアウトデータと、
基準点特定情報とセキュリティ管理情報とエリア名称情報とを関連付けたエリア管理情報と、
変更したレイアウトのエリア名称情報と基準点特定情報とを対応付けた対応データと、
変更したレイアウトデータを格納する変更レイアウトデータ格納部と、
変更レイアウトのエリア管理情報を格納する変更エリア管理情報格納部と、
を用いるレイアウトセキュリティ管理方法であって、
（１）レイアウトセキュリティ管理装置が、レイアウトデータを用いてエリアのレイアウトを変更して、変更レイアウトデータを作成して、変更レイアウトデータを作成するレイアウト変更ステップと、
（２）レイアウトセキュリティ管理装置が、作成された変更レイアウトデータのエリア内を探索して、このエリア内のゲートの基準点を検知して、探索したエリアのエリア名称情報と検知された基準点の基準点特定情報とを対応付けた対応データを作成する対応データ作成ステップと、
（３）レイアウトセキュリティ管理装置が、作成された対応データから互いに対応付けられた基準点特定情報とエリア名称情報とを取り出して、取り出した基準点特定情報を用いて、エリア管理情報を参照して、前記基準点特定情報に一致する基準点特定情報に関連付けられたセキュリティ管理情報を抽出して、取り出した基準点特定情報とエリア名称情報と、抽出したセキュリティ管理情報とを関連付けたエリア管理情報を作成するエリア管理情報作成ステップと、
を含んだ手順でなされることを特徴とするレイアウトセキュリティ管理方法。
【請求項４】
コンピュータに組込むことによって、コンピュータを請求項１または請求項２に記載のレイアウトセキュリティ管理装置として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、レイアウト図で管理されたエリアにセキュリティ管理情報を設定する装置、方法、プログラム、媒体に関するものである。
本発明は特に、セキュリティ管理された部屋のレイアウト変更に伴い、セキュリティ管理情報の設定作業の能率を向上させる場合や信頼性を高める場合に有用である。
【背景技術】
【０００２】
現代の企業活動においては、日本版ＳＯＸ法などを背景に、企業情報を管理することが益々重要となっている。企業では、部屋や区域ごとに、セキュリティレベルを設定して、企業情報の管理を徹底している。しかしながら、組織の変更や業務の見直しや利便性の向上に伴い、事務所や工場、倉庫の配置が変更されるたびに、部屋や区域にセキュリティ管理情報を設定しなおす必要がある。
そこで、たとえば次に説明するようなセキュリティ管理が執られる。
【０００３】
《１．資産情報を用いたセキュリティ管理》
ハードウェア資産情報を用いてオフィス機器が配置された部屋を特定することによって、そのオフィス機器に、その部屋に設定されたセキュリティ管理情報を適用して管理する。
たとえば、特許文献１では、識別情報を格納したＩＣダグを資産ラベルに埋め込み、非接触でＩＣダグの情報を読み取るユニットリーダを利用して、資産に添付した資産ラベルから情報を自動で取得し、資産が物理的に存在するか否かの情報を含む資産管理をする技術が開示されている。
《２．配置位置情報を用いたセキュリティ管理》
オフィス機器の配置位置を管理することによって、室内に配置されたオフィス機器にその部屋に設定されたセキュリティ管理情報を適用して管理する。
たとえば、特許文献２では、オフィス機器を部屋や倉庫に設置したときに、室内の３個のビーコンセンサが、電子機器からの応答信号を受信して距離を測定して、電子機器の配置位置を管理する技術が開示されている。
【特許文献１】特開２００５−２０２４４５号公報（段落０００９、図１）
【特許文献２】特開２００５−１７９０２６号公報（段落００２２〜段落００２７、図３）
【発明の開示】
【発明が解決しようとする課題】
【０００４】
しかしながら、特許文献１の技術や特許文献２の技術では、部屋を新設や、移動や、統廃合してレイアウトを変更した場合には、変更した部屋のセキュリティ管理情報を設定しなければ、部屋に設置するオフィス機器のセキュリティ管理ができない。
【０００５】
本発明は以上のような点を解決するためになされたものであって、本発明の課題は、レイアウト変更された部屋に、手間をかけずに、正確なセキュリティ管理情報を設定できる装置、方法、プログラム、媒体を提供することである。
【課題を解決するための手段】
【０００６】
本発明は、以下の各態様に記載の手段により、前記課題を解決する。
すなわち、本願発明の第１の発明は、エリア名称情報を付して、異なるエリアに配置される一対の基準点を有するゲートを持つエリアのセットを含むレイアウトデータを格納するレイアウトデータ格納部と、基準点特定情報とセキュリティ管理情報とエリア名称情報とを関連付けたエリア管理情報を格納するエリア管理情報格納部と、変更したレイアウトデータを格納する変更レイアウトデータ格納部と、変更したレイアウトのエリア名称情報と基準点特定情報とを対応付けた対応データを格納する対応データ格納部と、変更レイアウトのエリア管理情報を格納する変更エリア管理情報格納部と、を記憶する記憶部と、レイアウトデータ格納部に記憶されるレイアウトデータを用いてエリアのレイアウトを変更して、変更レイアウトデータを作成して、変更レイアウトデータ格納部に格納するレイアウト変更手段と、レイアウト変更手段が作成した変更レイアウトデータのエリア内を探索して、このエリア内のゲートの基準点を検知して、探索したエリアのエリア名称情報と検知された基準点の基準点特定情報とを対応付けた対応データを作成して対応データ格納部に格納する対応データ作成手段と、対応データ格納部に格納された対応データから互いに対応付けられた基準点特定情報とエリア名称情報とを取り出して、取り出した基準点特定情報を用いて、エリア管理情報格納部に格納されたエリア管理情報を参照して、前記基準点特定情報に一致する基準点特定情報に関連付けられたセキュリティ管理情報を抽出して、取り出した基準点特定情報とエリア名称情報と、抽出したセキュリティ管理情報とを関連付けたエリア管理情報を作成するエリア管理情報作成手段と、を備えることを特徴とするレイアウトセキュリティ管理装置である。
【０００７】
このように、更新前レイアウトのセキュリティ管理情報を用いて、更新後レイアウトのエリアのセキュリティ管理情報を設定することが可能である。
【０００８】
本願発明の第２の発明は、前記エリア管理情報作成手段は、対応データ格納部に格納された対応データから、エリア名称情報に対応付けられた基準点特定情報を取り出して、エリア管理情報格納部に保持されるエリア管理情報を参照して、この取り出した基準点特定情報に関連付けられたエリア名称情報を取得するエリア名称取得手段と、エリア名称取得手段が取得したエリア名称情報が一種類であれば、エリア管理情報格納部に格納されるエリア管理情報から、取得したエリア名称情報に関連付けられたセキュリティ管理情報を抽出して、これを対応データが有する変更レイアウトのエリア名称情報と基準点特定情報とに関連付けたエリア管理情報を作成する抽出型エリア管理情報作成手段と、エリア名称取得手段が取得したエリア名称情報が二種類以上であれば、二種類以上の各エリア名称情報を適用して、エリア管理情報格納部に格納されるエリア管理情報から関連付けられたセキュリティ管理情報を抽出して提示するセキュリティ管理情報提示手段と、セキュリティ管理情報提示手段が提示するセキュリティ管理情報の選択情報の入力を受け付けて、選択されたセキュリティ管理情報を、変更レイアウトのエリア名称情報と基準点特定情報とに関連付けたエリア管理情報を作成する選択型エリア管理情報作成手段と、エリア名称取得手段が取得したエリア名称情報が存在しないのであれば、エリア名称取得手段で使用した対応データの基準点特定情報と対を成す他方の基準点特定情報と、エリア管理情報格納部に格納されるエリア管理情報の基準点特定情報と、を比較して両者が一致するときの対応付けられたエリア名称情報を取得する隣接エリア名称取得手段と、隣接エリア名称取得手段が取得したエリア名称情報に対応付けられたセキュリティ管理情報を抽出して、これを変更レイアウトのエリア名称情報と基準点特定情報とに対応付けたエリア管理情報を作成する隣接型エリア管理情報作成手段と、とから構成されることを特徴とする請求項１に記載のレイアウトセキュリティ管理装置である。
【０００９】
ここで、対応データの基準点特定情報と一致する基準点特定情報が、エリア管理情報格納部に保持されるエリア管理情報の中に存在するということは、この基準点が属するゲートは移設されたものであるということである。従って、移設されたゲートにより管理されるエリアのセキュリティ管理情報は、移設されたゲートが移設前に管理していたエリアのセキュリティ管理情報を用いることができる。
あるいは、対応データの基準点特定情報と一致する基準点特定情報が、エリア管理情報格納部に保持されるエリア管理情報の中に存在しないということは、この基準点が属するゲートは新設されたものであるということである。
従って、新設されたゲートにより管理されるエリアのセキュリティ管理情報は、ゲートが新設される前のエリアのセキュリティ管理情報を用いることができる。
【００１０】
本願発明の第３の発明は、エリア名称情報を付して、異なるエリアに配置される一対の基準点を有するゲートを持つエリアのセットを含むレイアウトデータと、基準点特定情報とセキュリティ管理情報とエリア名称情報とを関連付けたエリア管理情報と、変更したレイアウトのエリア名称情報と基準点特定情報とを対応付けた対応データと、変更したレイアウトデータを格納する変更レイアウトデータ格納部と、変更レイアウトのエリア管理情報を格納する変更エリア管理情報格納部と、を用いるレイアウトセキュリティ管理方法であって、（１）レイアウトセキュリティ管理装置が、レイアウトデータを用いてエリアのレイアウトを変更して、変更レイアウトデータを作成して、変更レイアウトデータを作成するレイアウト変更ステップと、（２）レイアウトセキュリティ管理装置が、作成された変更レイアウトデータのエリア内を探索して、このエリア内のゲートの基準点を検知して、探索したエリアのエリア名称情報と検知された基準点の基準点特定情報とを対応付けた対応データを作成する対応データ作成ステップと、（３）レイアウトセキュリティ管理装置が、作成された対応データから互いに対応付けられた基準点特定情報とエリア名称情報とを取り出して、取り出した基準点特定情報を用いて、エリア管理情報を参照して、前記基準点特定情報に一致する基準点特定情報に関連付けられたセキュリティ管理情報を抽出して、取り出した基準点特定情報とエリア名称情報と、抽出したセキュリティ管理情報とを関連付けたエリア管理情報を作成するエリア管理情報作成ステップと、を含んだ手順でなされることを特徴とするレイアウトセキュリティ管理方法である。
【００１１】
本願発明の第４の発明は、コンピュータに組込むことによって、コンピュータを請求項１または請求項２に記載のレイアウトセキュリティ管理装置として動作させるコンピュータプログラムである。
【００１２】
本願発明の第５の発明は、請求項４に記載のコンピュータプログラムを記録したコンピュータ読取り可能な記録媒体である。
【発明の効果】
【００１３】
本願発明によれば、
（１）新設したエリアのセキュリティ管理情報は、隣接するエリアに設定されたセキュリティ管理情報を用いることが可能である。
（２）移設を受けたエリアのセキュリティ管理情報は、移設してきたエリアにまつわるセキュリティ管理情報の中から選択して用いることが可能である。
従って、本発明によれば、レイアウト変更前のエリアに設定されていたセキュリティ管理情報を用いて、変更したレイアウトのエリアに、手間をかけずに、簡単容易にセキュリティ管理情報を設定できるという効果がある。
【発明を実施するための最良の形態】
【００１４】
以下、図面等を参照しながら、本発明の実施の形態について、更に詳しく説明する。
【００１５】
図１は、本発明によるレイアウトセキュリティ管理装置１００の概要を説明する図である。
レイアウトセキュリティ管理装置１００は、エリアのレイアウト図を用いることで、レイアウト変更前のエリアに設定されていたセキュリティ管理情報を適用して、レイアウト変更したエリアに、セキュリティ管理情報を設定する。
ここで、エリアとは、たとえば、セキュリティルームや施錠扉付き事務室のように、人の出入りが管理できる部屋である。
【００１６】
レイアウトセキュリティ管理装置１００は、既存のレイアウト編集プログラムを備えたパーソナルコンピュータに、後述する専用プログラムを搭載したものである。
レイアウトセキュリティ管理装置１００は、エリアのレイアウト図を表示させる表示部１０２と、レイアウト図を作図するためのレイアウトデータを格納する記憶部を備える。
【００１７】
図２は、レイアウト変更したエリアにセキュリティ管理情報を設定するための大まかな処理の流れを説明する図である。
《１．レイアウト変更》
セキュリティ管理者は、レイアウトデータ１９１から作成したレイアウト図面をレイアウトセキュリティ管理装置１００に表示させて、ゲートによりセキュリティ管理されたエリアのレイアウトを変更する（図２（１））。
《２．セキュリティ管理情報の設定》
レイアウトセキュリティ管理装置１００は、レイアウト変更前のエリアに設定されたセキュリティ管理情報を用いて、レイアウト変更後のエリアにセキュリティ管理情報を設定する（同（２））。
【００１８】
図３は、エリアのレイアウト図面１０２ａを説明する図である。
エリアのレイアウト図面１０２ａは、エリア２００を配置した図面である。
エリア２００は、エリア名称１９２を有する。
エリア２００は、壁６００とゲート３００により形成された閉領域である。
ゲート３００は、ゲート識別情報を有する。
ゲート３００は、一対の基準点３０１を有する。
基準点３０１は、基準点特定情報を有する。
基準点特定情報は、ゲート識別情報と基準点番号情報を含む情報である。
一対の基準点３０１は、異なるエリア２００に配置される。
ゲート３００は、エリア２００をセキュリティ管理する。
【００１９】
図３には、エリアのレイアウト図面１０２ａが例示されている。
レイアウト図面１０２ａには、エリア名称１９２「エリアＡ」のエリア２００と、エリア名称１９２「エリアＢ」のエリア２００がレイアウトされて記載されている。
【００２０】
エリア名称１９２「エリアＡ」のエリア２００は、ゲート識別情報「Ｇ１」のゲート３００とゲート識別情報「Ｇ２」のゲート３００と壁６００により形成された領域の内部に、ゲート識別情報「Ｇ１」のゲート３００に属する基準点特定情報「１−２」の基準点３０１と、ゲート識別情報「Ｇ２」のゲート３００に属する基準点特定情報「２−２」の基準点３０１とが配置されている例が示されている。
【００２１】
この例の意味は、エリア名称１９２「エリアＡ」のエリア２００は、ゲート識別情報「Ｇ１」のゲート３００とゲート識別情報「Ｇ２」のゲート３００との２個のゲート３００により管理されて、ゲート識別情報「Ｇ１」のゲート３００に属する基準点特定情報「１−２」の基準点３０１と、ゲート識別情報「Ｇ２」のゲート３００に属する基準点特定情報「２−２」の基準点３０１が配置されたエリアであるということである。
【００２２】
エリア名称１９２「エリアＢ」のエリア２００は、ゲート識別情報「Ｇ２」のゲート３００により管理されて、ゲート識別情報「Ｇ２」のゲート３００に属する基準点特定情報「２−１」の基準点３０１が配置されている。
【００２３】
この例の意味は、エリア名称１９２「エリアＢ」のエリア２００は、ゲート識別情報「Ｇ２」のゲート３００により管理されて、ゲート識別情報「Ｇ２」のゲート３００に属する基準点特定情報「２−１」の基準点３０１が配置されたエリアであるということである。
【００２４】
図４は、レイアウトデータ１９１の形式を説明する図である。
レイアウトデータ１９１は、レイアウト図面１０２ａを作成するデータである。
レイアウトデータ１９１は、エリア名称情報１９１ａと、壁データ１９１ｂと、ゲートデータ１９１ｃと、から構成される。
エリア名称情報１９１ａは、文字列である。
壁データ１９１ｂは、壁の座標値情報を含むデータである。
ゲートデータ１９１ｃは、ゲートの座標値情報と、基準点の座標値情報と、ゲート識別情報と基準点特定情報を含むデータである。
【００２５】
図５は、レイアウト変更したエリアにセキュリティ管理情報を設定する具体的な処理の流れを説明する図である。
《１．レイアウト変更》
レイアウトセキュリティ管理装置１００は、レイアウト変更指示情報の入力を受け付けて、レイアウト図１０２ａに対して、エリアの壁６００を、追加・削除・移設する（図５（１−１））。
レイアウトセキュリティ管理装置１００は、レイアウト変更指示情報の入力を受け付けて、壁６００を追加・削除・移設したレイアウト図に対して、ゲート３００を移動、または追加して、レイアウト変更したレイアウト図１０２ｂを作成する（同（１−２））。
なお、不要なゲート３００は、削除指示情報の入力を受け付けて、削除される。
【００２６】
《２．セキュリティ管理情報の設定》
レイアウトセキュリティ管理装置１００は、レイアウト変更したレイアウト図１０２ｂの各エリア２００に属する基準点３０１を検知する（同（２−１））。（基準点を検知する手順の詳細は後述する）
レイアウトセキュリティ管理装置１００は、検知したエリアに属する基準点３０１に対して、レイアウト変更前に属していたエリア名称を調べる（同（２−２））。
レイアウトセキュリティ管理装置１００は、調べた変更前に属していたエリア名称に応じて、以下に説明するように、変更後エリアのセキュリティ管理情報を設定する（同（２−３））。
（ａ）調べた変更前エリア名称が１種類ならば、その調べた変更前エリア名称のセキュリティ管理情報を、変更したエリアのセキュリティ管理情報に設定する。
（ｂ）調べた変更前エリア名称が２種類以上ならば、調べた変更前エリア名称のセキュリティ管理情報を提示して、セキュリティ管理者に、その中のひとつを選択させて、選択されたセキュリティ管理情報を、変更したエリアに設定する。
（ｃ）調べた結果、変更前エリア名称が存在しなければ、検知した基準点と対を成す他方の基準点が属するエリアセキュリティ管理情報を、変更したエリアに設定する。
(詳細は後述する）
【００２７】
図６は、レイアウトセキュリティ管理装置１００の詳細な構成図である。
レイアウトセキュリティ管理装置１００は、ＣＰＵ１０１と、表示部１０２と、入力部１０３と、記憶部１０９とを備える。
【００２８】
ＣＰＵ１０１は、中央演算装置である。
表示部１０２は、液晶表示装置や有機ＥＬ表示装置である。
入力部１０３は、マウスやキーボードである。
【００２９】
記憶部１０９は、半導体メモリや磁気メモリである。
記憶部１０９は、レイアウトデータ格納部１０９ａと、エリア管理情報格納部１０９ｂと、変更レイアウトデータ格納部１０９ｃと、対応データ格納部１０９ｄと、変更エリア管理情報格納部１０９ｅと、から構成される。
【００３０】
レイアウトデータ格納部１０９ａは、レイアウトデータ１９１を格納する。
レイアウトデータ１９１は、エリア名称情報を有して、一対の基準点３０１を有するゲート３００を持つエリア２００のセットを含むデータである。
【００３１】
エリア管理情報格納部１０９ｂは、エリア管理情報を格納する。
エリア管理情報１９３は、エリア名称情報と基準点特定情報とセキュリティ管理情報とを関連付けた情報である。
【００３２】
対応データ格納部１０９ｄは、対応データを格納する。
対応データは、変更したレイアウトのエリア名称情報と基準点特定情報とを対応付けたデータである。
【００３３】
変更レイアウトデータ格納部１０９ｃは、変更したレイアウトデータを格納する。
変更エリア管理情報格納部１０９ｅは、変更レイアウトのエリア管理情報を格納する。
【００３４】
このほかに、レイアウト変更手段１１０と、対応データ作成手段１２０と、エリア管理情報作成手段１４０と、を備える。なお、エリア管理情報作成手段１４０は、エリア名称取得手段１３０と、抽出型エリア管理情報作成手段１４４と、セキュリティ管理情報提示手段１５０と、選択型エリア管理情報作成手段１４５と、隣接エリア名称取得手段１６０と、隣接型エリア管理情報作成手段１４６と、から構成される。
これらの各手段は、それぞれの専用プログラムによって実現され、専用プログラムがＣＰＵ１０１に解釈・実行されることによって機能する。
【００３５】
レイアウト変更手段１１０は、レイアウトデータ格納部１０９ａに記憶されるレイアウトデータ１９１を用いてエリアのレイアウトを変更して、変更レイアウトデータを作成して、変更レイアウトデータ格納部１０９ｃに格納する。たとえば、レイアウト変更手段１１０は、レイアウトデータ１９１を用いて、壁を追加・削除・移動・長さ変更して、さらに、基準点を有するゲートを移動・追加・削除して、壁とゲートに囲まれたエリアのレイアウトを変更して、変更レイアウトデータを作成する。
【００３６】
対応データ作成手段１２０は、レイアウト変更手段１１０が作成した変更レイアウトデータの各エリアの内部を塗り潰し探索して、このエリアが持つゲートの基準点を検知して、探索したエリアの名称情報と検知された基準点の基準点特定情報とを対応付けた対応データを作成して対応データ格納部１０９ｄに格納する。
【００３７】
エリア管理情報作成手段１４０は、対応データ格納部１０９ｄに格納された対応データから対応付けられた基準点特定情報とエリア名称情報とを取り出して、取り出した基準点特定情報を用いて、エリア管理情報格納部１０９ｂに格納されたエリア管理情報を参照して、関連付けられたセキュリティ管理情報を抽出して、取り出した基準点特定情報とエリア名称情報と、抽出したセキュリティ管理情報とを関連付けたエリア管理情報を作成して、変更エリア管理情報格納部１０９ｅに格納する
ここで、エリア管理情報作成手段１４０は、エリア名称取得手段１３０と、抽出型エリア管理情報作成手段１４４と、セキュリティ管理情報提示手段１５０と、選択型エリア管理情報作成手段１４５と、隣接エリア名称取得手段１６０と、隣接型エリア管理情報作成手段１４６と、から構成される。
【００３８】
エリア名称取得手段１３０は、対応データ格納部１０９ｄに格納された対応データから、ひとつのエリア名称情報に対応付けられた基準点情報を全て取り出して、取り出した基準点情報のそれぞれについて、エリア管理情報格納部１０９ｂに保持されるエリア管理情報の基準点情報と、を比較して両者が一致するときの関連付けられたエリア名称情報を取得する。
【００３９】
抽出型エリア管理情報作成手段１４４は、エリア名称取得手段１３０が取得したエリア名称情報が一種類であれば、エリア管理情報格納部１０９ｂに格納されるエリア管理情報から、エリア名称情報に関連付けられたセキュリティ管理情報を抽出して、これを対応データが有する変更レイアウトのエリア名称情報と基準点特定情報とに関連付けたエリア管理情報を作成する。
【００４０】
セキュリティ管理情報提示手段１５０は、エリア名称取得手段１３０が取得したエリア名称情報が二種類以上であれば、二種類以上の各エリア名称情報を適用して、エリア管理情報格納部１０９ｂに格納されるエリア管理情報から関連付けられたセキュリティ管理情報を抽出して提示する。
選択型エリア管理情報作成手段１４５は、セキュリティ管理情報提示手段１５０が提示するセキュリティ管理情報の選択情報の入力を受け付けて、選択されたセキュリティ管理情報を、変更レイアウトのエリア名称情報と基準点特定情報とに関連付けたエリア管理情報を作成する。
【００４１】
隣接エリア名称取得手段１６０は、エリア名称取得手段１３０が取得したエリア名称情報が存在しないのであれば、エリア名称取得手段１３０がこのときに使用した基準点情報と対を成す他方の基準点情報と、エリア管理情報格納部１０９ｂに格納されるエリア管理情報の基準点情報と、を比較して両者が一致するときの対応付けられたエリア名称情報を取得する。
隣接型エリア管理情報作成手段１４６は、隣接エリア名称取得手段１６０が取得したエリア名称情報を用いて、変更エリア管理情報格納部１０９ｅに格納された変更レイアウトのエリア管理情報を参照して、対応付けられたセキュリティ管理情報を抽出して、これを変更レイアウトのエリア名称情報と基準点特定情報とに対応付けたエリア管理情報を作成する。
【００４２】
図７は、エリア管理情報１９３の形式と例を説明する図である。
図７の（ａ）は、エリア管理情報１９３の形式を説明する図である。
エリア管理情報１９３は、エリア名称情報１９３ａと、基準点特定情報１９３ｂと、セキュリティ管理情報１９３ｃと、から構成される。
エリア名称情報１９３ａは、文字列である。
基準点特定情報１９３ｂは、基準点を特定する情報である。たとえば、ゲート識別情報と基準点番号情報の組み合わせである。
セキュリティ管理情報１９３ｃは、エリアのセキュリティ管理レベルを記述する情報である。
【００４３】
図７の（ｂ）には、エリア管理情報１９３が例示されている。
たとえば、エリア名称情報１９３ａ「エリアＡ」と、基準点特定情報１９３ｂ「１−２」「２−２」と、セキュリティ管理情報１９３ｃ「Ｓ１」とから構成されるエリア管理情報１９３が例示されている。
【００４４】
この例の意味は、エリア名称情報１９３ａが「エリアＡ」のエリア２００は、セキュリティレベル１９３ｃが「Ｓ１」で、このエリアに属する基準点の特定情報１９３ｂが「１−２」と「２−２」とであるということである。
【００４５】
また、エリア名称情報１９３ａ「エリアＢ」と、基準点特定情報１９３ｂ「２−１」と、セキュリティ管理情報１９３ｃ「Ｓ２」と、から構成されるエリア管理情報１９３が例示されている。
【００４６】
この例の意味は、エリア名称情報１９３ａが「エリアＢ」のエリア２００は、セキュリティレベル１９３ｃが「Ｓ２」で、このエリアに属する基準点の特定情報１９３ｂが「２−１」であるということである。
【００４７】
図８は、対応データ１９７の形式と例を説明する図である。
図８の（ａ）は、対応データ１９７の形式を説明する図である。
対応データ１９７は、エリア名称情報１９７ａと、基準点特定情報１９７ｂと、から構成される。
エリア名称情報１９７ａの形式は、図７の（ａ）のエリア名称情報１９３ａと同じ形式である。
基準点特定情報１９７ｂの形式は、図７の（ａ）の基準点特定情報１９３ｂと同じ形式である。
【００４８】
図８の（ｂ）には、対応データ１９７が例示されている。
たとえば、エリア名称情報１９７ａが、「エリアＡ」で、基準点特定情報１９７ｃが、「１−２」と「２−２」と「３−２」である対応データ１９７が例示されている。
【００４９】
この例の意味は、エリア名称情報１９７ａが「エリアＡ」のエリア２００には、基準点特定情報１９３ｃが「１−２」と「２−２」と「３−２」である基準点３０１が属するということである。
【００５０】
また、エリア名称情報１９７ａが「エリアＢ」で、基準点特定情報１９７ｃが、「２−１」である対応データ１９７が例示されている。
この例の意味は、エリア名称情報１９７ａが「エリアＢ」であるエリア２００には、基準点特定情報１９３ｃが「２−１」である基準点３０１が属するということである。
【００５１】
また、エリア名称情報エリア名称情報１９７ａが「エリアＣ」で、基準点特定情報１９７ｃが、「        ３−１」である対応データ１９７が例示されている。
この例の意味は、エリア名称情報１９７ａが「エリアＣ」であるエリア２００には、基準点特定情報１９３ｃが「３−１」である基準点３０１が属するということである。
【００５２】
次に、図９と図１０を用いて、セキュリティ管理情報を設定する手順を説明する。
【００５３】
図９は、エリアを新設する場合のセキュリティ管理情報を設定する手順を説明する図である。
図１０は、エリアを移設する場合のセキュリティ管理情報を設定する手順を説明する図である。
【００５４】
まず、図９と図１０のレイアウト図面１０２ａ／１０２ｂと、エリア管理情報１９３／１９３ｙと、対応データ１９７について説明する。
【００５５】
図９の（A）には、レイアウト図面１０２ａと、エリア管理情報１９３と、レイアウト図面１０２ｂと、対応データ１９７と、エリア管理情報１９３ｙと、が例示されている。
レイアウト図面１０２ａは、変更前のレイアウト図面である。
エリア管理情報１９３は、レイアウト図面１０２ａのエリア管理情報である。
レイアウト図面１０２ｂは、レイアウト図面１０２ａにエリアを追加して変更したレイアウトの図面である。
対応データ１９７は、変更したレイアウトの対応データである。
エリア管理情報１９３ｙは、変更したレイアウトのエリア管理情報である。
【００５６】
図９の（A）のレイアウト図面１０２ａには、エリア名称情報１９３ａ「エリア１」のエリア２００（以下、「エリア１」のエリア２００。他も同様）と「エリア２」のエリアが記載されている。「エリア１」のエリア２００には、基準点特定情報１９３ｂ「１−２」の基準点３０１（以下、「１−２」の基準点３０１。他も同様）と「２−２」の基準点３０１が属している。また、「エリア２」のエリア２００には、「２−１」の基準点３０１が属している。
【００５７】
図９の（A）のエリア管理情報１９３には、エリア名称情報１９３ａ「エリア１」と、基準点特定情報１９３ｂ「１−２」と、基準点特定情報１９３ｂ「２−２」と、セキュリティ管理情報１９３ｂ「Ｓ１」とが、対応付けられている。同様に、エリア管理情報１９３には、エリア名称情報１９３ａ「エリア２」と、基準点特定情報１９３ｂ「２−１」と、セキュリティ管理情報１９３ｃ「Ｓ２」とが、対応付けられている。
【００５８】
図９の（A）のレイアウト図面１０２ｂには、「エリアＡ」のエリア２００と「エリアＢ」のエリア２００と新設したエリア「エリアＣ」のエリア２００が記載されている。
ここで、「エリアＡ」は、「エリア１」を名称変更したものに相当する。
「エリアＣ」は、「エリア２」の中に新設したエリアに相当する。
「エリアＡ」１９３ａのエリアには、「１−２」の基準点３０１と「２−２」の基準点３０１が属している。
「エリアＢ」１９３ａのエリアには、「２−１」の基準点３０１と「３−２」の基準点３０１が属している。
「エリアＣ」１９３ａのエリアには、「３−１」の基準点３０１が属している。
【００５９】
図９の（A）の対応データ１９７には、エリア名称情報１９３ａ「エリアＡ」と、基準点特定情報１９３ｂ「１−２」と、基準点特定情報１９３ｂ「２−２」と、が対応付けられたデータが記述されている。
同様に、対応データ１９７は、エリア名称情報１９３ａ「エリアＢ」と、基準点特定情報１９３ｂ「２−１」と、基準点特定情報１９３ｂ「３−２」と、が対応付けられたデータが記述されている。
同様に、対応データ１９７は、エリア名称情報１９３ａ「エリアＣ」と、基準点特定情報１９３ｂ「３−１」とが対応付けられたデータが記述されている。
【００６０】
図１０の（B）には、レイアウト図面１０２ａと、エリア管理情報１９３／１９３ｙと、レイアウト図面１０２ｂと、対応データ１９７が例示されている。
レイアウト図面１０２ａは、変更前のレイアウト図面である。
エリア管理情報１９３は、レイアウト図面１０２ａのエリア管理情報である。
レイアウト図面１０２ｂは、レイアウト図面１０２ａのエリアを移動した、変更したレイアウトの図面である。
対応データ１９７は、変更したレイアウトの対応データである。
エリア管理情報１９３ｙは、変更したレイアウトのエリア管理情報である。
【００６１】
図１０の（B）のレイアウト図面１０２ａには、「エリア６」のエリア２００と「エリア７」のエリア２００と「エリア８」のエリア２００が記載されている。「エリア６」のエリア２００には、「１−２」の基準点３０１と「２−２」の基準点３０１が属している。また、「エリア７」のエリア２００には、「２−１」の基準点３０１と「３−２」の基準点３０１が属している。また、「エリア８」のエリア２００には、「３−１」の基準点３０１の基準点３０１が属している。
【００６２】
図１０の（B）のエリア管理情報１９３には、エリア名称情報１９３ａ「エリア６」と、基準点特定情報１９３ｂ「１−２」と、基準点特定情報１９３ｂ「２−２」と、セキュリティ管理情報１９３ｂ「Ｓ１」とが、対応付けられている。同様に、エリア管理情報１９３には、エリア名称情報１９３ａ「エリア７」と、基準点特定情報１９３ｂ「２−１」と、基準点特定情報１９３ｂ「３−２」と、セキュリティ管理情報１９３ｂ「Ｓ２」とが、対応付けられている。同様に、エリア管理情報１９３には、エリア名称情報１９３ａ「エリア８」と、基準点特定情報１９３ｂ「３−１」と、セキュリティ管理情報１９３ｃ「Ｓ３」とが、対応付けられている。
【００６３】
図１０の（B）のレイアウト図面１０２ｂには、「エリアＦ」のエリア２００と「エリアＧ」のエリア２００と移設した「エリアＨ」のエリア２００が記載されている。すなわち、「エリアＨ」のエリア２００は、「エリア８」のエリア２００を名称変更したものに相当する。
【００６４】
「エリアＦ」のエリア２００には、「１−２」の基準点３０１と「２−２」の基準点３０１と「３−２」の基準点３０１が属している。また、「エリアＧ」のエリア２００には、「２−１」の基準点３０１が属している。「エリアＨ」のエリア２００には、３−１」の基準点３０１が属している。
【００６５】
図１０の（B）の対応データ１９７には、エリア名称情報１９３ａ「エリアＦ」と、基準点特定情報１９３ｂ「１−２」と、基準点特定情報１９３ｂ「２−２」と、基準点特定情報１９３ｂ「３−２」と、が対応付けられたデータが記述されている。
同様に、対応データ１９７は、エリア名称情報１９３ａ「エリアＧ」と、基準点特定情報１９３ｂ「２−１」と、が対応付けられたデータが記述されている。
同様に、対応データ１９７は、エリア名称情報１９３ａ「エリアＨ」と、基準点特定情報１９３ｂ「３−１」とが対応付けられたデータが記述されている。
【００６６】
次ぎに、図９と図１０を用いて、変更したエリアにセキュリティ管理情報を設定する手順を、場合分けして説明する。
【００６７】
《１．ゲートが追加されないエリア》
《１−１．エリアの新設・移設・削除に関係しないエリア》
図９の（ａ）は、エリアの新設・移設・削除に関係の無いエリアにセキュリティ管理情報を設定する手順である。レイアウト図面１０２ｂの「エリアＡ」は、レイアウト図面１０２ａの「エリア１」に対して、エリアが新設・移設・削除されていない。つまり、「エリアＡ」には、ゲートが、追加されていない。
エリア名称取得手段１３０は、「エリアＡ」のエリア２００に属する基準点の特定情報１９３ｂ「１−２」と、エリア管理情報１９３の基準点特定情報を比較して、両者が一致するときのエリア管理情報１９３のエリアの名称情報「エリア１」を取得して、このエリア名称情報「エリア１」を保持する。
同様に、エリア名称取得手段１３０は、「エリアＡ」のエリア２００に属する基準点の特定情報１９３ｂ「２−２」と、エリア管理情報１９３の基準点特定情報を比較して、両者が一致するときのエリア管理情報１９３のエリアの名称情報「エリア１」を取得して、このエリア名称情報「エリア１」を保持する（図９の（ａ）の（１））。
エリア名称取得手段１３０が取得したエリア名称情報が一種類であるので、抽出型エリア管理情報作成手段１４４は、保持したエリア名称情報「エリア１」を用いてエリア管理情報１９３を参照して、保持したエリア名称情報「エリア１」に関連付けられたセキュリティ管理情報１９３ｃ「Ｓ１」を取得して、エリア管理情報１９３ｙの「エリアＡ」のエリア２００のセキュリティ管理情報１９３ｃに設定する（同（ａ）の（２））。
【００６８】
《１−２．隣接するエリアが削除されたエリア》
図１０の（ｅ）は、隣接するエリアが削除されたエリアにセキュリティ管理情報を設定する手順である。
レイアウト図面１０２ｂの「エリアＧ」１９３ａのエリアは、レイアウト図面１０２ａの「エリア７」に対して、隣接する「エリア８」が削除されたエリアである。つまり、「エリアＧ」１９３ａのエリアには、ゲートが追加されていない。
エリア名称取得手段１３０は、「エリアＧ」に属する基準点の特定情報１９３ｂ「２−１」を用いてエリア管理情報１９３の基準点特定情報を比較して、両者が一致するときのエリア管理情報１９３のエリアの名称情報「エリア７」を取得して、これを保持する（図１０の（ｅ）の（１））。
エリア名称取得手段１３０が取得したエリア名称情報が一種類であるので、抽出型エリア管理情報作成手段１４４は、保持したエリア名称情報「エリア７」を用いてエリア管理情報１９３を参照して、保持したエリア名称情報「エリア７」のエリア２００のセキュリティ管理情報１９３ｃ「Ｓ２」を取得して、エリア管理情報１９３ｙの「エリアＧ」のエリア２００のセキュリティ管理情報１９３ｃに設定する（同（ｅ）の（２））。
【００６９】
《１−３．移設したエリア》
図１０の（ｆ）は、移設したエリアにセキュリティ管理情報を設定する手順である。
レイアウト図面１０２ｂの「エリアＨ」１９３ａは、レイアウト図面１０２ａの「エリア８」を移設したエリアである。つまり、「エリアＨ」１９３ａのエリアには、ゲートが追加されていない。
エリア名称取得手段１３０は、「エリアＨ」のエリア２００に属する基準点の特定情報１９３ｂ「３−１」とエリア管理情報１９３の基準点特定情報と、を比較して、両者が一致するときのエリア管理情報１９３の名称情報「エリア８」を取得して、これを保持する（図１０の（ｆ）の（１））。
エリア名称取得手段１３０が取得したエリア名称情報が一種類であるので、抽出型エリア管理情報作成手段１４４は、保持したエリア名称情報「エリア８」を用いてエリア管理情報１９３を参照して、保持したエリア名称情報「エリア８」のエリア２００のセキュリティ管理情報１９３ｃ「Ｓ３」を取得して、エリア管理情報１９３ｙの「エリアＨ」のエリア２００のセキュリティ管理情報１９３ｃに設定する（同（ｆ）の（２））。
【００７０】
このように、エリアにゲートが追加されない限り、変更前のエリアに設定されていたセキュリティ管理情報を用いればよい。
【００７１】
《２．新設したエリア》
図９の（ｃ）は、新設したエリアにセキュリティ管理情報を設定する手順である。
レイアウト図面１０２ｂの「エリアＣ」１９３ａは、レイアウト図面１０２ａの「エリア２」に対して、新設したエリアである。
エリア名称取得手段１３０は、「エリアＣ」のエリア２００に属する基準点の特定情報１９３ｂ「３-１」とエリア管理情報１９３の基準点特定情報とを比較して、両者が一致しないので、関連付けられたエリア名称情報を取得できない（図９の（ｃ）の（１））。
エリア名称取得手段１３０が取得したエリア名称情報が存在しないので、隣接エリア名称取得手段１６０は、同じゲートに属する対の他方の基準点の特定情報１９３ｂが「３-２」であることを調べて、この基準点特定情報１９３ｂ「３-２」とエリア管理情報１９３ｙの基準点特定情報と、を比較して両者が一致するときのエリア名称「エリアＢ」（＝「エリアＣ」の隣のエリア）を取得する（同（ｃ）の（２））。隣接型エリア管理情報作成手段１４６は、隣接エリア名称取得手段が取得したエリア名称「エリアＢ」を用いて、変更したレイアウトのエリア管理情報１９３ｙを参照して、「エリアＢ」のエリアに設定されたセキュリティ管理情報１９３ｃ「Ｓ２」を取得する（同（ｃ）の（３））。
隣接型エリア管理情報作成手段１４６は、この取得たセキュリティ管理情報１９３ｃ「Ｓ２」をエリア管理情報１９３ｙに含まれる「エリアＣ」のエリアセキュリティ管理情報として設定する（同（ｃ）の（４））。
【００７２】
このように、新設したエリアに設定するセキュリティ管理情報は、隣接するエリアに設定されたセキュリティ管理情報を用いれば良い。
【００７３】
《３．移設してきたエリアに隣接するエリア》
図１０の（ｄ）は、「エリアＦ」１９３ａのエリアにセキュリティ管理情報を設定する手順である。
レイアウト図面１０２ｂの「エリアＦ」は、レイアウト図面１０２ａの「エリア６」に対して、「エリア８」を移設した「エリアＨ」に隣接したエリアである。
エリア名称取得手段１３０は、「エリアＦ」のエリア２００に属する基準点の特定情報１９３ｂ「１−２」と、エリア管理情報１９３の基準点特定情報とを比較して、レイアウト変更前に属していたエリアの名称情報「エリア６」を取得して、これを保持する。同様に、
エリア名称取得手段１３０は、「エリアＦ」のエリア２００に属する基準点の特定情報１９３ｂ「２−２」と、エリア管理情報１９３の基準点特定情報とを比較して、レイアウト変更前に属していたエリアの名称情報「エリア６」を取得して、これを保持する（図１０の（ｄ）の（１））。
エリア名称取得手段１３０は、「エリアＦ」のエリア２００に属する基準点の特定情報１９３ｂ「３−２」と、エリア管理情報１９３の基準点特定情報とを比較して、レイアウト変更前に属していたエリアの名称情報「エリア７」を取得して、これを保持する（同（ｄ）の（２））。
ちなみに、「エリア７」のエリア２００とは、移設前に隣接するエリアである。
セキュリティ管理情報提示手段１５０は、エリア名称取得手段が取得したエリア名称情報「エリア６」と「エリア７」を適用して、エリア管理情報から関連付けられたセキュリティ管理情報「Ｓ１」と「Ｓ２」を抽出して提示する。
エリア名称取得手段１３０が取得したエリア名称情報が二種類以上あるので、選択型エリア管理情報作成手段１４５は、セキュリティ管理情報提示手段が提示するセキュリティ管理情報「Ｓ１」と「Ｓ２」の選択情報の入力を受け付けて、選択されたセキュリティ管理情報を、変更レイアウトのエリア名称情報「エリアＦ」と基準点特定情報「１−２」、「２−２」、「３−２」とに関連付けたエリア管理情報１９３ｙを作成する（同（ｄ）の（３））。
【００７４】
このように、移設してきたエリアに隣接するエリアは、変更前に設定されていたセキュリティ管理情報や、移設してきたエリアに纏わるセキュリティ管理情報の中から１つを選択して用いれば良い。
【００７５】
《４．新設されたエリアに隣接するエリア》
図９の（ｂ）は、隣接するエリアが新設されたエリアのセキュリティ管理情報を設定する手順である。レイアウト図面１０２ｂの「エリアＢ」１９３ａは、隣接するエリアが新設されたエリア「エリアＣ」である。
エリア名称取得手段１３０は、エリアＢに属する基準点の特定情報１９３ｂ「２−１」を用いてエリア管理情報１９３の基準点特定情報を比較して、両者が一致するときのエリア管理情報１９３のエリアの名称情報「エリア２」を取得して、このエリア名称情報「エリア２」を保持する（図９の（ｂ）の（１））。
エリア名称取得手段１３０は、エリアＢに属する基準点の特定情報１９３ｂ「３−２」を用いてエリア管理情報１９３の基準点特定情報を比較して、一致するものがないので、レイアウト変更前に属していたエリアの名称情報を取得できない（同（ｂ）の（２））。
なお、エリア名称情報を取得できないことは、この基準点３０１は、レイアウト変更前のエリアには存在していないことを意味する。
エリア名称取得手段１３０が取得したエリア名称情報が一種類であるので、抽出型エリア管理情報作成手段１４４は、保持したエリア名称情報「エリア２」を用いてエリア管理情報１９３を参照して、保持したエリア名称情報「エリア２」のエリア２００のセキュリティ管理情報１９３ｃ「Ｓ２」を取得して、エリア管理情報１９３ｙの「エリアＢ」のエリア２００のセキュリティ管理情報１９３ｃに設定する（同（ｂ）の（３））。
【００７６】
このように、新設されたエリアに隣接するエリアは、変更前に設定されていたセキュリティ管理情報を用いれば良い。
【００７７】
図１１は、セキュリティ管理情報設定処理のフローチャートである。
（１）対応データ作成手段１２０は、変更したレイアウトデータにより作成したレイアウト図を用いて、壁やゲートを塗りつぶしてエリアの閉領域を作成する。（ステップＳ１１０）
（２）対応データ作成手段１２０は、ゲートが有する一対の基準点をレイアウト図に配置する。（ステップＳ１２０）
（３）対応データ作成手段１２０は、エリアの閉領域を塗り潰し探索して、閉領域内に配置された基準点を検知して、エリア名称と基準点特定情報を対応付けた対応データを作成する。（ステップＳ１３０）
（４）エリア名称取得手段１３０は、対応データ格納部に格納された対応データから、あるエリア名称情報を選んで、その選んだエリア名称情報と対応付けられた基準点特定情報を全て取り出して、この取り出した基準点特定情報のそれぞれと、エリア管理情報格納部に保持されるエリア管理情報の基準点特定情報と、を比較して両者が一致するときの関連付けられたエリア名称情報を取得する。（ステップＳ１４０）
（５）エリア名称情報が何種類あるか判定する。（ステップＳ１５０）
（ａ）取得したエリア名称が１種類ならば、ステップＳ１６０に進む。
（ｂ）取得したエリア名称が複数種類存在するならば、ステップＳ１７０に進む。
（ｃ）取得したエリア名称が存在しなければ、ステップＳ１８０に進む。
（６）抽出型エリア管理情報作成手段１４４は、取得したエリア名称のセキュリティ管理情報を変更レイアウトのエリア名称情報と基準点特定情報とに関連付けたエリア管理情報を作成する。終了する。（ステップＳ１６０）
（７）セキュリティ管理情報提示手段１５０は、各エリア名称のセキュリティ管理情報を提示する。選択型エリア管理情報作成手段１４５は、セキュリティ管理情報の選択情報の入力を受け付けて、選択されたセキュリティ管理情報を、変更レイアウトのエリア名称情報と基準点特定情報とに関連付けたエリア管理情報を作成する。終了する。（ステップＳ１７０）
（８）隣接エリア名称取得手段１６０は、エリア名称取得手段で使用した対応データの基準点特定情報と対を成す他方の基準点特定情報と、エリア管理情報格納部に格納されるエリア管理情報の基準点特定情報と、を比較して両者が一致するときの対応付けられたエリア名称情報を取得する。（ステップＳ１８０）
（９）変更エリア管理情報格納部１０９ｅに格納された変更レイアウトにおいて、隣接エリア名称取得手段が取得したエリア名称情報に対応するセキュリティ管理情報が設定されているか否かを判定する。設定されていれば、ステップＳ１９０に進む。設定されていなければ、終了する。（ステップＳ１８０）
（１０）隣接型エリア管理情報作成手段１４６は、隣接エリア名称取得手段が取得したエリア名称情報を用いて、変更エリア管理情報格納部１０９ｅに格納された変更レイアウトのエリア管理情報を参照して、対応付けられたセキュリティ管理情報を抽出して、抽出したセキュリティ管理情報とエリア名称情報と基準点特定情報とに対応付けたエリア管理情報を作成する。終了する。（ステップＳ１９０）
【００７８】
なお、ステップＳ１６０において、抽出型エリア管理情報作成手段１４４は、新規のセキュリティ管理情報を設定しても良いし、あるいは、他のエリアのセキュリティ管理情報を選択して設定しても良い。
同様に、ステップＳ１７０において、選択型エリア管理情報作成手段１４５が、新規のセキュリティ管理情報を設定しても良いし、あるいは、他のエリアのセキュリティ管理情報を選択して設定しても良い。
同様に、ステップＳ１９０において、隣接型エリア管理情報作成手段１４６が、新規のセキュリティ管理情報を設定しても良いし、あるいは、他のエリアのセキュリティ管理情報を選択して設定しても良い。
【図面の簡単な説明】
【００７９】
【図１】本発明によるレイアウトセキュリティ管理装置１００の概要図
【図２】レイアウトにセキュリティ管理情報を設定する大まかな処理の流れ
【図３】エリアのレイアウト図面１０２ａを説明する図
【図４】レイアウトデータ１９１の形式を説明する図
【図５】レイアウトにセキュリティ管理情報を設定する具体的な処理の流れ
【図６】レイアウトセキュリティ管理装置１００の詳細な構成図
【図７】エリア管理情報１９３の形式と例を説明する図
【図８】対応データ１９７の形式と例を説明する図
【図９】エリアを新設する場合のセキュリティ管理情報を設定する手順を説明する図
【図１０】エリアを移設する場合のセキュリティ管理情報を設定する手順を説明する図
【図１１】セキュリティ管理情報設定処理のフローチャート
【符号の説明】
【００８０】
１００  レイアウトセキュリティ管理装置
１０２ａ  レイアウト図面
１０２ｂ  レイアウト図面
１０９  記憶部
１０９ａ  レイアウトデータ格納部
１０９ｂ  エリア管理情報格納部
１０９ｃ  変更レイアウトデータ格納部
１０９ｄ  対応データ格納部
１０９ｅ  変更エリア管理情報格納部
１１０  レイアウト変更手段
１２０  対応データ作成手段
１３０  エリア名称取得手段
１４０  エリア管理情報作成手段
１４４  抽出型エリア管理情報作成手段
１４５  選択型エリア管理情報作成手段
１４６  隣接型エリア管理情報作成手段
１５０  セキュリティ管理情報提示手段
１６０  隣接エリア名称取得手段
１９１  レイアウトデータ
１９１ａ  エリア名称情報
１９１ｂ  壁データ
１９１ｃ  ゲートデータ
１９２  エリア名称
１９３  エリア管理情報
１９３ａ  エリア名称情報
１９３ｂ  基準点特定情報
１９３ｃ  セキュリティ管理情報
１９３ｙ  エリア管理情報
１９７  対応データ
１９７ａ  エリア名称情報
１９７ｂ  基準点特定情報
２００  エリア
３００  ゲート
３０１  基準点
６００  壁
【図１】
0005104447.tif 000002
【図２】
0005104447.tif 000003
【図３】
0005104447.tif 000004
【図４】
0005104447.tif 000005
【図５】
0005104447.tif 000006
【図６】
0005104447.tif 000007
【図７】
0005104447.tif 000008
【図８】
0005104447.tif 000009
【図９】
0005104447.tif 000010
【図１０】
0005104447.tif 000011
【図１１】
0005104447.tif 000012